(57)【要約】【課題】  従来より、生理用品やおむつを使うとき、月経血や尿が排出されたときに、該液体が身体に付着して不快感をおぼえ、且つ、付着した状態が長く続くと非衛生的となる、該液体が外にもれるなどの不備についてより優秀な解決方法が望まれていた。【解決手段】  生理用品やおむつについて、複層構造吸収シートを二層重ね、身体に接する側のシートの所要の位置に一表面から反対側の表面に通じる体外排出液通過域を形成し、両者を互いに接する面の一部で接合して構成されたことを特徴とする能動性体外排出液吸収体とするものとした。【選択図】  図２
2006334342.tif 000002
【特許請求の範囲】
【請求項１】
身体に接する側の複層構造吸収シートを第一層（１）、他方の複層構造吸収シートを第二層（２）として、形状について第一層（１）の所要の位置に一表面から反対側の表面に通じる体外排出液通過域（３）を形成し、各複層構造について第一層（１）が少なくとも身体に接する側から浸透層（４）、吸収体層（５）、浸透層（６）からなり、第二層（２）が少なくとも第一層（１）に接する側から浸透層（７）、吸収体層（８）、防水層（９）からなり、体様について第一層（１）と第２層（２）を重ね互いに接する面の一部で接合して構成されたことを特徴とする能動性体外排出液吸収体。
【請求項２】
切り込みを入れることで体外排出液通過域を形成した請求項１記載の能動性体外排出液吸収体。
【請求項３】
第一層の面積を第二層の面積よりも小さくすることで体外排出液通過域を形成した請求項１記載の能動性体外排出液吸収体。
【請求項４】
身体から液体が排出されると想定される位置に体外排出液通過域を形成した請求項１〜３記載の能動性体外排出液吸収体。
【請求項５】
辺縁にあたる位置に体外排出液通過域を形成した請求項１〜３記載の能動性体外排出液吸収体。
【請求項６】
請求項１〜５記載の構成を一部分として有する体外排出液吸収体。
【発明の詳細な説明】
【技術分野】
【０００１】  この発明は、生理用品やおむつなど、身体から排出される液体すなわち月経血や尿を吸収し保持する物品に関する。なお、生理用品やおむつを包括して示す総称について一般的に使われている語句がないので、本申請においては体外排出液吸収体と呼ぶこととする。
【背景技術】
【０００２】  従来より、体外排出液吸収体は、それぞれ役割をもった複数の層からなる複層構造吸収シートとして構成されており、各層を大別すると身体に接する側から浸透層、吸収体層、防水層となる。浸透層の役割は、身体から排出される液体を浸透させ且つ逆流を防止することであり、より早く浸透させ、逆流をより確実に防止することで、身体から排出される液体が身体に付着する面積と量をより少なくするよう開発されている。吸収体層の役割は、浸透した液体を吸収し保持することであり、より多くの量を吸収し、より確実に保持することで吸収した液体を外へ漏らさないよう開発されている。防水層の役割は、吸収体層からしみ出る液体を外へ漏らさないことであり、より高い防水性と外力に対する強さが発揮されるよう開発されている。また各層はそれぞれの役割をより効果的に発揮するよう、さらに複数の層から形成されている製品も開発されている。
【発明の開示】
【発明が解決しようとする課題】
【０００３】  しかしながら、この方法によると、以下に示す課題が生じる。ひとつに、身体から排出される液体すなわち月経血や尿が排出されたときに、該液体が身体に付着して体外排出液吸収体を着用する者が不快感をおぼえ、且つ、付着した状態が長い時間続く場合非衛生的となる点である。着用者がもつこれらの不満を軽減するため、浸透層は、該液体をより早く浸透させ、より確実に逆流を防止して、該液体が身体に付着する面積と量をより少なくするよう開発されているのであるが、その技術には限界があり、さらなる工夫が望まれている。【０００４】  ひとつに、身体から排出される液体すなわち月経血や尿が排出されたときに、該液体を体外排出液吸収体が吸収して保持しきれずに、該液体が体外排出液吸収体の外に漏れる場合がある点である。吸収体層は、該液体をより多く吸収し、より確実に保持して該液体を外へ漏らさないよう開発されているのであるが、一定時間内に該体液が浸透層を通して吸収体層に吸収される量には限界があり、吸収されない該液体は身体接触面を伝わる。ここで、該液体は局所から排出されるため、長時間同じ姿勢でいるとき、排出される該液体の量が多いときなどは身体接触面を伝わる経路の広がり方が偏り、該経路は辺縁に達しやすくなり、ここから該液体が外に漏れる結果となる。この場合、吸収体層が保持し得る液体の絶対量に関わる性能が十分にいかされないのである。そのため、排出された液体を吸収体層全体に行きわたらせるよう、体外排出液吸収体の身体接触面の表面形状と断面形状について多種多様な工夫がなされているのであるが、さらなる効果を発揮する工夫が望まれている。
【課題を解決するための手段】
【０００５】  これらの課題を解決するため本発明の構成は、１）身体に接する側の複層構造吸収シートを第一層、他方の複層構造吸収シートを第二層として、形状について第一層の所要の位置に一表面から反対側の表面に通じる体外排出液通過域を形成し、各複層構造について第一層が少なくとも身体に接する側から浸透層、吸収体層、浸透層からなり、第二層が少なくとも第一層に接する側から浸透層、吸収体層、防水層からなり、体様について第一層と第二層を重ね互いに接する面の一部で接合して構成されたことを特徴とする能動性体外排出液吸収体【０００６】  ２）切り込みを入れることで体外排出液通過域を形成した前記１）記載の能動性体外排出液吸収体【０００７】  ３）第一層の面積を第二層の面積よりも小さくすることで体外排出液通過域を形成した前記１）記載の能動性体外排出液吸収体【０００８】  ４）身体から液体が排出されると想定される位置に体外排出液通過域を形成した前記１）〜３）記載の能動性体外排出液吸収体【０００９】  ５）辺縁にあたる位置に体外排出液通過域を形成した前記１）〜３）記載の能動性体外排出液吸収体【００１０】  ６）前記１）〜５）記載の構成を一部分として有する体外排出液吸収体、とした。
【発明の効果】
【００１１】  本発明である能動性体外排出液吸収体を使用することで生じる効果を示すために、該吸収体が身体から排出される液体を能動的に吸収する原理を説明する。液体が示す自然現象のひとつに毛細管現象がある。毛細管現象とは、細い管を液体中に立てると、その液が管内で他の水平面より高くなるか、または低くなる現象であり、血液や尿は高くなる分類に属す。また、この現象は繊維間の狭い隙間、細い溝、面と面が合わさる狭い隙間においても起こることは周知であり、本発明における体外排出液通過域の線形部の溝、第一層と第二層とが合わさる狭い隙間も毛細管現象が起こる状態に属す。よって、身体から排出された液体が体外排出液通過域の線形部の溝に達すると該液体は能動的に該線形に沿って伝わり、続いて該液体が第一層と第二層とが合わさる狭い隙間に達すると能動的に浸み入っていくのである。【００１２】  以下に具体的な効果を示す。身体から液体が排出されると想定される位置に体外排出液通過域を設けた本発明では、身体から排出された液体は体外排出液通過域に達すると能動的にその線形に沿って伝わり、続いて第一層と第二層とが合わさる狭い隙間に能動的に浸み入って、その過程において浸透層を通り吸収体層に吸収される。その結果、身体から排出される液体は、第一層の身体接触面の浸透層と、第一層のその反対面の浸透層と、第二層の第一層に接する面の浸透層から浸透し、浸透する域が分散されるので、従来からある体外排出液吸収体のように身体接触面の浸透層だけから浸透する場合と比較して、身体接触面に該液体が伝わる面積と量が減少し、自ずと該液体が身体に付着する面積と量も減少して、着用する者がおぼえる不快感と、非衛生的となる傾向が従来以上に軽減される。【００１３】  また、身体から排出される液体が体外排出液通過域を通じて体外排出液吸収体の内部に誘導され、身体接触面を該液体が伝わる量が減れば、その経路の広がりが辺縁に達する割合も減り、該液体が外に漏れる割合を減らす上で効果が大きい。【００１４】  辺縁に体外排出液通過域を設けた本発明では、身体から排出された液体が身体接触面を伝わる経路が広がるのに伴い、該液体が体外排出液通過域に達すると能動的にその線形に沿って伝わり、続いて第一層と第二層とが合わさる狭い隙間に能動的に浸み入って、浸透層を通り吸収体層に吸収される。この体外排出液吸収体の辺縁付近に達してしまった該液体の伝わりを再び体外排出液吸収体の内部に誘導する働きは、該液体が外に漏れるのを防ぐ上で効果が非常に大きい。
【発明を実施するための最良の形態】
【００１５】  次に、能動性体外排出液吸収体の形態であるが、以下、添付図面に実施例を示して説明する。図１〜２は、身体から液体が排出されると想定される位置に切り込みを入れて体外排出液通過域を形成した本発明にかかる能動性体外排出液吸収体の実施例１である。図１が斜視図、図２が図１のＡ−Ａ’断面図である。第一層１は、浸透層４と浸透層６に吸収体層５をはさみ辺縁を接合して作る。ここで吸収体層５の体外排出液通過域３を形成しようとする範囲は所要の大きさで削除しておき、この箇所で浸透層４と浸透層６を接合して、この接合部に切り込みを入れて体外排出液通過域３を形成する。切り込みは線形に切断するだけでも良いし、所要の面積を削除しても良い。第二層２は、従来からある体外排出液吸収体と同様の構造であり、浸透層７と防水層９に吸収体層８をはさみ辺縁を接合して作る。実施例１は、第一層１と第二層２を、第一層１の身体に接する側の浸透層４と第二層２の防水層９を外側にして重ね、辺縁接合部１０にて接合してつくる。なお、図２において第一層１と第二層２の隙間１２は、説明がしやすいよう間隔が空いているように記しているが、接触していても差し支えない。実施例１を使用するとき、経血や尿が排出され体外排出液通過域３に達すると、該液体は体外排出液通過域の線形１１に沿って誘導され、続いて第一層１と第二層２との隙間１２に誘導され、その過程で各浸透層から各吸収体層へ吸収される。【００１６】  図３〜４は、実施例１を別の構成で作った本発明にかかる能動性体外排出液吸収体の実施例２である。図３が斜視図、図４が図３のＢ−Ｂ’断面図である。実施例２は第一層を第一層片１３Ａと１３Ｂとを突き合わせ接合部１４Ａ、１４Ｂで接合して作り、他は実施例１と同様にして作る。この工程を図５に示したので参考にされたい。ここでの要点は、突き合わせ接合部１４Ａ、１４Ｂは接合し、その間を接合しないことで体外排出液通過域１５を形成する点である。図６〜７には第一層片１３Ａと１３Ｂの作り方を示した。実施例２の平面形にあたる片２０（図６）を折り線２１で折り、吸収体層１７をはさみ辺縁１９Ａ、１９Ｂを接合して、第一層の要素である浸透層１６、吸収体層１７、浸透層１８を構成する。【００１７】  図８〜９は、第一層の面積を第二層の面積よりも小さくすることで辺縁に体外排出液通過域を形成した本発明にかかる能動性体外排出液吸収体の実施例３である。図８が斜視図、図９が図８のＣ−Ｃ’断面図である。第一層２２は、浸透層２５と浸透層２６に吸収体層２６をはさみ、浸透層２５と浸透層２７の辺縁を接合して作る。ここで浸透層２６と浸透層２７の接合箇所であるが、図９に示すように接合部３１の位置すなわち第一層２２と第二層２３とが接する側とするのが好ましい。第一層２２の平面形の端部で接合すれば工作は容易であるが、接合部３１の位置とすることで体外排出液通過域２４の機能をより優秀に発揮させることができる。第二層２３は、従来からある体外排出液吸収体と同様の構造であり、浸透層２８と防水層３０に吸収体層２９をはさみ辺縁３２を接合して作る。実施例３は、第一層２２と第二層２３を、第一層２２の身体に接する側の浸透層２５と第二層２３の防水層３０を外側にして重ね、点在接合部３４にて接合してつくる。なお、図９において第一層２２と第二層２３の隙間３３は説明がしやすいよう間隔が空いているように記しているが、接触していても差し支えない。実施例３を使用するとき、経血や尿が中央付近から辺縁へ伝わり体外排出液通過域２４の内縁に達すると、該液体は内縁線に沿って誘導され、続いて第一層と第二層との隙間３３に誘導され、その過程で各浸透層から各吸収体層へ吸収される。長時間同じ姿勢でいるときや、該液体の排出量が多いときには、該液体の伝わり方が偏り、吸収体層の保水能力が活かされないまま辺縁に達してしまうので、この伝わりをもう一度内部へ戻し吸収体層の残った保水能力を活かすのである。【００１８】  図に示していないが、実施例１もしくは実施例２の構造と実施例３の構造を併せ持つ能動性体外排出液吸収体も実施の態様として好ましい。【００１９】  本発明である能動性体外排出液吸収体は、従来より普及している体外排出液吸収体、すなわち生理用品やおむつに使用されている素材を使って作れば良い。例えば、浸透層には経血や尿に対して透過性のある不織布、織布またはフィルムを、吸収体層には保水力のある吸収性ゲル材料を、防水層には経血や尿に対して不透過性である不織布、織布またはポリマーフィルムを使用する。また、将来、各層の機能を高め得る新しい素材が開発されたときには、それらを使用しても差し支えない。【００２０】  本発明である能動性体外排出液吸収体を製造するには、従来より普及している体外排出液吸収体の製造方法を流用できる。製造工程は増えるが、個々の工程は既知の技術で十分対応が可能である。また、図２，図４、図７、図９の各断面図は、本発明の要点を説明するために示したものであり、既知の技術で対応可能な各層及び各素材の接合部分については省略して記しているので留意願いたい。【００２１】  従来より普及している体外排出液吸収体の形状については、ウィング付、凸部付等、多種多様な工夫が施されているが、本発明である能動性体外排出液吸収体の構造を、これら既普及品の一部として取り入れても何ら差し支えないし、製造は既知の技術で十分対応が可能である。
【図面の簡単な説明】
【００２２】
【図１】実施例１の斜視図
【図２】実施例１の断面図
【図３】実施例２の斜視図
【図４】実施例２の断面図
【図５】実施例２の製作工程図
【図６】実施例２にかかる第一層片素材の平面図
【図７】実施例２にかかる第一層片の断面図
【図８】実施例３の斜視図
【図９】実施例３の断面図
【符号の説明】
【００２３】  １    第一層（実施例１）
２    第二層（実施例１）
３    体外排出液通過域（実施例１）
４    浸透層（実施例１の第一層の身体接触側）
５    吸収体層（実施例１の第一層）
６    浸透層（実施例１の第一層の第二層側）
７    浸透層（第二層）
８    吸収体層（第二層）
９    防水層（第二層）
１０    辺縁接合部（実施例１）
１１    体外排出液通過域の線形（実施例１）
１２    第一層と第二層の隙間
１３Ａ  第一層片
１３Ｂ  第一層片
１４Ａ  突き合わせ接合部
１４Ｂ  突き合わせ接合部
１５    体外排出液通過域（実施例２）
１６    浸透層（実施例２の第一層の身体接触側）
１７    吸収体層（実施例２の第一層）
１８    浸透層（実施例２の第一層の第二層側）
１９Ａ  辺縁（第一層片）
１９Ｂ  辺縁（第一層片）
２０    片（第一層片素材）
２１    折り線
２２    第一層（実施例３）
２３    第二層（実施例３）
２４    体外排出液通過域（実施例３）
２５    浸透層（実施例３の第一層の身体接触側）
２６    吸収体層（実施例３の第一層）
２７    浸透層（実施例３の第一層の第二層側）
２８    浸透層（実施例３の第二層）
２９    吸収体層（実施例３の第二層）
３０    防水層（実施例３）
３１    接合部（浸透層２６と浸透層２７）
３２    辺縁（実施例３の第二層）
３３    隙間（第一層２２と第二層２３）
３４    点在接合部
【図１】
2006334342.tif 000003
【図２】
2006334342.tif 000004
【図３】
2006334342.tif 000005
【図４】
2006334342.tif 000006
【図５】
2006334342.tif 000007
【図６】
2006334342.tif 000008
【図７】
2006334342.tif 000009
【図８】
2006334342.tif 000010
【図９】
2006334342.tif 000011